(57)【要約】【課題】  運動靴、各種の作業用の靴又は登山靴等の靴類で防水処理の施されていない靴の甲側を被覆して雨天時や水を伴う作業時の靴の濡れや水による汚れを防止する。【解決手段】  靴ｓの甲側を被覆する非透水性のシート状被覆材１と、その後部一側の周縁近傍に配したスライド掛止片（掛止片）２ａ及び後部他側の周縁近傍に配した掛止片２ｂと、シート状被覆材１の前部一側の周縁近傍に配したスライド掛止片（掛止片）３ａ及び前部他側の周縁近傍に配した掛止片３ｂと、後部側のスライド掛止片２ａに一端側を長さ調節自在に、掛止片２ｂに他端側を着脱自在に、それぞれ結合した後部弾性ベルト４と、前部側のスライド掛止片３ａに一端側を長さ調節自在に、掛止片３ｂに他端側を着脱自在に、それぞれ結合した前部弾性ベルト５とで構成する。シート状被覆材１は、その前部に垂下状態に形成したつま先カバー部１ａを備える。【選択図】  図１
2009045187.tif 000002
【特許請求の範囲】
【請求項１】
靴の甲側の全体を被覆する非透水性のシート状被覆材であって、その最前部の周縁に靴のつま先部をカバーすべく配したつま先カバー部を備えたシート状被覆材と、
該シート状被覆材の後部両側の周縁より内側の外面に各々配した後部弾性ベルト用の掛止片と、
該シート状被覆材の前部両側の周縁より内側の外面に各々配した前部弾性ベルト用の掛止片と、
前記後部弾性ベルト用の二つの掛止片にその両端を各々取り付けた後部弾性ベルトであって、前記シート状被覆材を靴の甲側に配した状態で該靴のソール側を通過させるように配した後部弾性ベルトと、
前記前部弾性ベルト用の二つの掛止片にその両端を各々取り付けた前部弾性ベルトであって、前記シート状被覆材を靴の甲側に配した状態で該靴のソール側を通過させるように配した前部弾性ベルトと、で構成したシューズカバー。
【請求項２】
前記後部弾性ベルト用の両掛止片の内の一方として、該後部弾性ベルトの靴のソール側を通過する部分の長さを調節可能なそれを採用した請求項１のシューズカバー。
【請求項３】
前記前部弾性ベルト用の両掛止片の内の一方として、該前部弾性ベルトの靴のソール側を通過する部分の長さを調節可能なそれを採用した請求項１のシューズカバー。
【請求項４】
前記シート状被覆材の後部中央に、その上面に一部を固設した紐材であって、リボン状に結んで置くことが可能な紐材を配した請求項１、２又は３のシューズカバー。
【請求項５】
前記シート状被覆材の全周縁に連続する管状空間を形成し、該管状空間に弾力性を有する環状の骨材を配した請求項１、２、３又は４のシューズカバー。
【請求項６】
前記後部弾性ベルトと前部弾性ベルトとして、両者の中間部で両者を接続する接続ベルトを備えたものを採用した請求項１、２、３、４又は５のシューズカバー。
【発明の詳細な説明】
【技術分野】
【０００１】
本発明は、運動靴、各種の作業用の靴又は登山靴等の靴類で防水処理の施されていない靴の甲側を被覆して雨天時や作業時の靴の濡れや水による汚れを防止するためのシューズカバーに関する。
【背景技術】
【０００２】
登山靴は、本格的な物であれば、汗をかいたりして発生した内部の水分が排出可能でありつつ外部の水分が内部に進入することのないように処理されているのが普通である。しかし登山靴であっても簡易なそれにはそのような処理のされていない物もあり、低山ハイキングなどでは使用されていることが多々ある。低山ハイキングでは、登山靴を使用せず、一般の運動靴が使用されることもある。
【０００３】
このような靴を履いて以上のような低山ハイキングをした場合に雨天に見舞われることもしばしばあり、そのような場合には、靴の中に雨水が入って不愉快な思いをすることになる。運動靴類を履いて低山ハイキングをした場合も雨天に見舞われれば同様である。
【０００４】
或いは、運動靴や各種の作業用の靴で防水処理の施されていないそれを履いて作業を行った場合に、その作業が水分を含有する種々の物品や廃材等の取り扱いを含むものであった場合には、取り扱いの過程で、取り扱い物から水分が滴下したりする等により、作業者の着ている衣類がそれらの水分で汚れることがあるが、更に前記の靴にも滴下し、内部に染み込み、不愉快な思いをすることになる。
【０００５】
このような問題の解決のため、その他の種々の問題の解決のため、シューズカバーの提案がなされている。
その１は、シューズカバー本体のかかと部分に脱装補助部材として耳状部材を取り付けたシューズカバー（特許文献１）である。該シューズカバー本体は、使用者の履いているシューズ全体を被覆するものであり、場合によっては足首より高い位置までを被覆する物である。雨天時に靴内に水が入らないようにする一種の雨具として用いるほか、クリーンルームや土足禁止区域に入る際の保護具として用い、或いは放射線作業を行う際の汚染防護具の一種として用いる物である。
【０００６】
以上のように、特許文献１のシューズカバーは、靴全体を覆うものであり、素材として非透水性の素材を用いれば、靴の中への雨水等の進入はほぼ完璧に防止可能であると思われる。しかしその上部の開口部は、靴全体をこれによって被覆する観点から、それ程大きくすることはできないものと考えられ、そうであるとすれば、靴を履いたままこれを装脱するのは容易であるとは思われない。履いたままの靴をその開口部からこのシューズカバー中に装入するには相当その開口部を大きく広げなければならず、そのようなことが可能な拡縮性能を有する素材は容易に得られる物ではないと考えられる。また余り拡縮性能の高い物では、歩行時に掛かる外力によりソール側が歪んでしまって歩行性能がかなり低下する虞がある。低山ハイキング等に用いるには不適な物と思われる。また雨天以外の場合にザック等に入れて運ぶのに大きすぎる問題もある。
【０００７】
その２は、靴の上から履くことができるレインシューズカバー（特許文献２）であり、開口部はファスナーで広げることが可能になっている。その点では、特許文献１よりは装脱が容易になっているが、大変大きな物であり、雨天時以外にこれをザックに入れて持ち運ぶのには不適であるように思われる。
【０００８】
その３は、少なくともシューズ底面を覆う柔軟な素材よりなるシューズカバーと、前記シューズカバーを巻き取って収納する巻取手段と、該巻取手段の足首への固定手段等より構成され、足首に装着して必要に応じてシューズカバーを引き出して靴の底面から先端部等汚れる可能性のある領域をカバーし、不使用時には巻き取り収納するリトラクタブルシューズカバー（特許文献３）である。
【０００９】
この特許文献３のリトラクタブルシューズカバーは、靴のソール側をカバーする物であり、甲側をカバーする物ではない。従って雨天の後の道路が汚れている場合等に使用するのには適するかもしれないが、雨天の最中には上部からの雨によって靴が濡れ、いずれ靴の内部にまで雨水が染み込むことになるが、これを防止するためには役に立たない。
【００１０】
【特許文献１】特開平１０−１０１号公報
【特許文献２】特開２００１−３４６６０３号公報
【特許文献３】特開２００１−３４６６０４号公報
【発明の開示】
【発明が解決しようとする課題】
【００１１】
本発明は、運動靴、各種の作業用の靴又は登山靴等の靴類で防水処理の施されていない靴の甲側を被覆して雨天時や水を伴う作業時の靴の濡れや水による汚れを防止するためのシューズカバーを提供することを解決の課題とするものである。
【課題を解決するための手段】
【００１２】
本発明の１は、  靴の甲側の全体を被覆する非透水性のシート状被覆材であって、その最前部の周縁に靴のつま先部をカバーすべく配したつま先カバー部を備えたシート状被覆材と、
該シート状被覆材の後部両側の周縁より内側の外面に各々配した後部弾性ベルト用の掛止片と、
該シート状被覆材の前部両側の周縁より内側の外面に各々配した前部弾性ベルト用の掛止片と、
前記後部弾性ベルト用の二つの掛止片にその両端を各々取り付けた後部弾性ベルトであって、前記シート状被覆材を靴の甲側に配した状態で該靴のソール側を通過させるように配した後部弾性ベルトと、
前記前部弾性ベルト用の二つの掛止片にその両端を各々取り付けた前部弾性ベルトであって、前記シート状被覆材を靴の甲側に配した状態で該靴のソール側を通過させるように配した前部弾性ベルトと、で構成したシューズカバーである。
【００１３】
本発明の２は、本発明の１のシューズカバーに於いて、前記後部弾性ベルト用の両掛止片の内の一方として、該後部弾性ベルトの靴のソール側を通過する部分の長さを調節可能なそれを採用したものである。
【００１４】
本発明の３は、本発明の１のシューズカバーに於いて、前記前部弾性ベルト用の両掛止片の内の一方として、該前部弾性ベルトの靴のソール側を通過する部分の長さを調節可能なそれを採用したものである。
【００１５】
本発明の４は、本発明の１、２又は３のシューズカバーに於いて、前記シート状被覆材の後部中央に、その上面に一部を固設した紐材であって、リボン状に結んで置くことが可能な紐材を配したものである。
【００１６】
本発明の５は、本発明の１、２、３又は４のシューズカバーに於いて、前記シート状被覆材の全周縁に連続する管状空間を形成し、該管状空間に弾力性を有する環状の骨材を配したものである。
【００１７】
本発明の６は、本発明の１、２、３、４又は５のシューズカバーに於いて、前記後部弾性ベルトと前部弾性ベルトとして、両者の中間部で両者を接続する接続ベルトを備えたものを採用したものである。
【発明の効果】
【００１８】
本発明の１のシューズカバーによれば、運動靴や防水処理をしていない簡易な登山靴、或いは同様に防水処理をしていない作業用の靴などの防水のために簡易に使用することができる。
【００１９】
例えば、低山ハイキングを上記運動靴や簡易な登山靴を履いて行う場合に、このシューズカバーを持参すると好都合である。それ自体非常にコンパクトであるため、持ち運びが極めて容易である。また急に雨が降り出したような場合に、その靴の甲側の全体にそのシート状被覆材を被覆し、前記後部弾性ベルトを靴の踵手前付近のソール側を通過させ、前記前部弾性ベルトを靴のつま先近傍のソール側を通過させることにより、該シート状被覆材と該後部弾性ベルト及び該前部弾性ベルトとで該靴の甲側を抱えた状態にし、該シート状被覆材をその靴の甲側に被覆状態で固定保持することができる。
【００２０】
以上の後部弾性ベルト又は前部弾性ベルトが緩い場合は、左右いずれか又は双方の掛止片の部位でそれらを必要なだけ引き出し、該掛止片に係止し直しをすることで、靴に対する適正な緊締状態に調節することができる。
【００２１】
以上のように前記靴にこのシューズカバーを装着すると、それらの靴の雨水の通りやすい甲の部分が、前記のように、シート状被覆材でほぼ完全にカバーされるため、ある程度の時間内は、水の侵入を防止することが可能であり、低山ハイキング中の比較的軽微な雨には十分対応できる。また靴のつま先部分は、つま先カバー部によって確実に被覆されているため、一層効果的な防水効果を得ることができる。
【００２２】
また前記の低山ハイキングなどではなく、生ごみのような水分を含有した廃材を処理する作業をする場合等に、このシューズカバーを使用しても好都合である。履いている靴が防水処理をしていない物である場合には、前記低山ハイキングの場合と同様に、靴の甲側の部位の全体にそのシート状被覆材を被覆し、前記後部弾性ベルトを靴の踵手前付近のソール側を通過させ、前記前部弾性ベルトを靴のつま先近傍のソール側を通過させて、該シート状被覆材をその靴の甲側への被覆状態で確実に固定保持することができる。当然、後部弾性ベルト又は前部弾性ベルトが緩い場合は、前記のように締め直すことができる。
【００２３】
以上のように靴の甲にこのシューズカバーを装着すると、水分の通りやすい該靴の甲の部分が、前記のように、シート状被覆材でカバーされるため、前記のような作業で処理対象物から垂れる水分が靴に直接に掛かるのを確実に防止することができる。従って靴を常時綺麗な状態に保持できる。このシューズカバーは汚れることになるが、そのシート状被覆材は殆ど平面状の物であるため、洗濯もその乾燥も容易であり、汚れた靴を洗浄し、これを乾燥させるのよりは遥かに短時間で容易に処理できる利点が得られる。
【００２４】
使用後に、以上のシューズカバーを靴からの取外す場合は、前記いずれの場合であれ、シート状被覆材を含めた全体をつま先側に引っ張れば良い。前記後部弾性ベルト及び前部弾性ベルトを靴のソールから引き離す方向に引っ張りながら、前記シート状被覆材をつま先側に引っ張ればより取外が容易になる。該後部弾性ベルト及び該前部弾性ベルトが強く締め付けられている場合は、これを緩めてから取り外せばよい。該後部弾性ベルト及び該前部弾性ベルトの一端又は両端を掛止片から外してしまえばより簡単に取り外すことができる。
【００２５】
本発明の２又は３のシューズカバーによれば、前記後部弾性ベルト用又は前記前部弾性ベルト用の各両掛止片の内の一方として、該後部弾性ベルト又は該前部弾性ベルトの靴のソール側を通過する部分の長さを調節可能なそれを採用したため、該後部弾性ベルト又は該前部弾性ベルトと前記シート状被覆材とによる靴の甲側を含む前部の締め付け状態が緩い場合又は締付過ぎている場合は、各々の靴のソール側を通過する部分の長さを調節して、容易に適正な締め付け状態に調節することができる。
【００２６】
本発明の４のシューズカバーによれば、前記シート状被覆材の後部中央の上面の一部に紐材を固設し、これをリボン状に結んでおくことができるため、特に必要のない場合は、そのまま飾りとして使用し、該シート状被覆材を、前記のようにして、靴に装着した場合に、該シート状被覆材が歩行中に靴のつま先側に移動する虞のあるようであれば、リボン状に結んである該紐材をほどいて、該紐材でその靴の紐などに括り付けるように用いることができる。こうして使用中の該シート状被覆材の靴のつま先側への移動を確実に抑制することができる。
【００２７】
本発明の５のシューズカバーによれば、前記シート状被覆材の全周縁が環状に閉じた骨材で形状が保持されるようになっているため、靴の甲にこれを装着した場合に、該シート状被覆材の周縁が捲れ上がるような問題を生じさせないようにすることができる。
【００２８】
本発明の６のシューズカバーによれば、前記後部弾性ベルトと前部弾性ベルトの中間部が接続ベルトで繋がっているため、このシューズカバーを靴に装着して歩行した場合に、靴のソールの形状や歩行の仕方等によって前記前部弾性ベルトが靴のつま先側に移動し、場合によっては靴から外れてしまう問題を解消することができる。
【発明を実施するための最良の形態】
【００２９】
発明を実施するための最良の形態を、図面を参照しながら三種の実施例に基づいて説明する。
【００３０】
＜実施例１＞
実施例１のシューズカバーは、図１(a)、図３(a)〜(c)及び図４に示すように、基本的に、靴ｓの甲を被覆する非透水性のシート状被覆材１と、該シート状被覆材１の後部一側の周縁近傍に配したスライド掛止片（掛止片）２ａ及び後部他側の周縁近傍に配した掛止片２ｂと、該シート状被覆材１の前部一側の周縁近傍に配したスライド掛止片（掛止片）３ａ及び前部他側の周縁近傍に配した掛止片３ｂと、前記後部側のスライド掛止片２ａに一端側を長さ調節自在に、前記掛止片２ｂに他端側を着脱自在に、それぞれ結合した後部弾性ベルト４と、前記前部側のスライド掛止片３ａに一端側を長さ調節自在に、前記掛止片３ｂに他端側を着脱自在に、それぞれ結合した前部弾性ベルト５とにより構成したものである。
【００３１】
前記シート状被覆材１は、図３(a)〜(c)及び図４に示すように、平面から見て半楕円形を基本形状とするシート状部材であり、その先端側には、特に図３(b)及び(c)に示すように、その周縁に、被覆する靴ｓのつま先をカバーすべく垂下状態に形成したつま先カバー部１ａを備えたものである。
【００３２】
また該シート状被覆材１の後部中央上面には、この実施例１では、図１(a)及び図３(a)、(b)、(c)に示すように、二本の紐材１ｂ、１ｂを配しておくものとする。該各紐材１ｂ、１ｂは、各々の一端を該シート状被覆材１の上記位置に僅かに離間させて固設し、他端は自由端としておく。この二本の紐材１ｂ、１ｂは特に必要がない場合は、図１(a)に示すように、相互をリボン状に結んで装飾物として用い、またこのシューズカバーを靴ｓに装着した状態で、そのシート状被覆材１が歩行中に前方に移動してしまうような虞のある場合には、該紐材１ｂ、１ｂを当該の靴ｓの紐などに結び付けてその前後方向の移動を防止するように用いることができる。
【００３３】
前記スライド掛止片２ａ、３ａ及び掛止片２ｂ、３ｂは、図３(a)、(b)、(c)に示すように、周縁より若干内側に取り付ける。前記シート状被覆材１を靴ｓの甲に取り付けた際に、該スライド掛止片２ａ、３ａ及び該掛止片２ｂ、３ｂが該靴ｓのソールの下方に位置することがないようにする趣旨である。
【００３４】
前記スライド掛止片３ａは、この実施例１では、図５(a)に示すように、両側の側板３ａ１、３ａ１と、その間を接続する前部側が省略された底板３ａ２と、底板３ａ２との間に若干の隙間を空けて前部に配され、両側の側板３ａ１、３ａ１を接続する状態に固定された連結片３ａ３と、後部側で両側の側板３ａ１、３ａ１に起伏自在に配された起伏固定片３ａ４とからなる。このスライド掛止片３ａは、一般に広く使用されている公知の構成のものである。
【００３５】
図３(a)、(c)、図４及び図５(a)に示すように、前部連結片３ａ３に、シート状の接続帯片３ａ５の端部を巻き付け固定し、該接続帯片３ａ５の他端側を、対象のスライド掛止片３ａが、前記のように、前記シート状被覆材１の前部一側の周縁より内部側に位置することとなるように、該シート状被覆材１に縫合する。縫合部はその縫合孔を埋めて水を通さないように防水処理を施す。
【００３６】
該スライド掛止片３ａには、図５(a)に示すように、前部弾性ベルト５の一端部を取り付ける。同図に一点鎖線で示すように、起伏固定片３ａ４を起立させると、後部の固定突起３ａ４ｐが前記底板３ａ２の固定用凹部３ａ２ｈから離れ、両者間の隙間が大きくなる。この状態で、該スライド掛止片３ａの後方から、該隙間に、前記前部弾性ベルト５を挿入し、これによって前側に突出することになった該前部弾性ベルト５の先端部を掴んで先端外方に引き出す。この後、起立させていた該起伏固定片３ａ４を伏倒させると、該前部弾性ベルト５は、前記固定突起３ａ４ｐの先端と底板３ａ２の固定用凹部３ａ２ｈとの間に挟まって結合固定されることになる。
【００３７】
このスライド掛止片３ａでは、以上のように結合固定された前部弾性ベルト５は、前側には容易に引き出し得るが、単に後方に引いたのではより固定状態が強化される状態となる。後方に引き出したい場合は、起伏固定片３ａ４を起立させるべきものである。
【００３８】
前記掛止片３ｂは、図３(a)及び図５(b)に示すように、日の字状に構成した枠状部材であり、中央の桟状部材である連結片３ｂ１と、前端側の前端掛止部３ｂ２及び後端側の後端掛止部３ｂ３と、これらの両側の側枠３ｂ４、３ｂ４とで構成したものである。この掛止片３ｂは、一般に広く使用されている公知の構成のものである。
【００３９】
図３(a)、(c)、図４及び図５(b)に示すように、中央の連結片３ｂ１に、シート状の接続帯片３ｂ５の端部を巻き付け固定し、該接続帯片３ｂ５を前端側の前端掛止部３ｂ２の下方を通って前方に出し、その他端側を、対象の掛止片３ｂが、前記のように、前記シート状被覆材１の前部他側の周縁より内部側に位置することとなるように、該シート状被覆材１に縫合する。縫合部はその縫合孔を埋めて水を通さないように処理する。
【００４０】
該掛止片３ｂは、図５(b)に示すように、前記スライド掛止片３ａに一端を接続した前部弾性ベルト５の他端側を取り付ける。該前部弾性ベルト５の該他端部を、同図に示すように、前記後端側の後端掛止部３ｂ３の下方を通してこれと中央の連結片３ｂ１との間から上方に引き出し、該連結片３ｂ１の上方を通ってこれと前記前端掛止部３ｂ２との間から下方に引き出し、該前端掛止部３ｂ２を巻いてその上方及び中央の連結片３ｂ１の上を通し、これと後端掛止部３ｂ３との間を通ってその下方に引き出し、更に該後端掛止部３ｂ３の下方を通してその後方に引き出すことで結合固定したものである。後方に引き出された前部弾性ベルト５の後端近傍の部位は、該前部弾性ベルト５がスライド掛止片３ａ側に強く引かれると、該前部弾性ベルト５の、この掛止片３ｂに進入する部位の上面と、該後端掛止部３ｂ３の下面との間に挟まれてより強く固定されることになる訳である。
【００４１】
前記シート状被覆材１の後部側に配されるスライド掛止片２ａは、その配置が該シート状被覆材１の後部側周縁の内側になる点を除いて、その構成・作用・効果の全ての点に関して、以上に詳述した前部側のスライド掛止片３ａと全く同様である。また前記シート状被覆材１の後部側に、該スライド掛止片２ａと対となって配される掛止片２ｂは、その配置が該シート状被覆材１に於いて、該スライド掛止片２ａとほぼ対象となる位置になる点を除いて、その構成・作用・効果の全ての点に関して、以上に詳述した前部側の掛止片３ｂと全く同様である。
【００４２】
前記前部弾性ベルト５は、合成ゴムで帯状に構成したものであり、若干の弾性を備えたものである。前記のように、該前部弾性ベルト５は、図１(a)に示すように、その両端の一方を、前記シート状被覆材１の一側上面に取り付けてある掛止片３ｂに取り付け、他方を他側上面に固設してあるスライド掛止片３ａに長さ調節可能に取り付けておく。
【００４３】
前記後部弾性ベルト４は、前部弾性ベルト５と全く同様に、合成ゴムで帯状に構成したものであり、若干の弾性を備えたものである。また該後部弾性ベルト４は、前部弾性ベルト５とこれも同様に、図１(a)に示すように、その両端の一方を、前記シート状被覆材１の一側上面に取り付けてある掛止片２ｂに取り付け、他方を他側上面に固設してあるスライド掛止２ａに長さ調節可能に取り付けておく。
【００４４】
従ってこの実施例１のシューズカバーによれば、運動靴ｓや防水処理をしていない簡易な登山靴、或いは同様に防水処理をしていない作業用の靴などの甲の防水のために簡易に使用することができる。
【００４５】
例えば、低山ハイキングを上記運動靴ｓや簡易な登山靴を履いて行う場合に、このシューズカバーを持参すると好都合である。前記のように、シート状被覆材１を主体とするものであり、それ自体非常に薄くコンパクトであるため、持ち運びが極めて容易である。また急に雨が降り出したような場合に、その靴ｓの甲の全体に該シート状被覆材１を簡単かつスピーディに被覆し、雨水に最も接触しやすく、かつ雨水が染み込みやすい甲を雨水から保護することができる。
【００４６】
前記し、図１(a)及び図４に示すように、この実施例１のシューズカバーのシート状被覆材１には、予め、その上部両側のスライド掛止片２ａ、３ａと掛止片２ｂ、３ｂとに、それぞれ後部弾性ベルト４又は前部弾性ベルト５の端部を結合し、それらの途中を該シート状被覆材１の下面側を通過させるようにしておく。
【００４７】
前記のように、靴ｓの甲に前記シート状被覆材１を被覆状態に配する場合は、該シート状被覆材１の後部から、該シート状被覆材１と、その下方に垂れ下がった状態の後部弾性ベルト４及び前部弾性ベルト５との間につま先側から靴ｓを装入すれば良い。装入する部位の間隔が狭い場合は、前記スライド掛止片２ａ、３ａの起伏固定片３ａ４等を起こし、後部弾性ベルト４及び前部弾性ベルト５の該シート状被覆材１の下方に位置する部分の長さを十分に長くすればよい。こうして靴ｓを該シート状被覆材１と後部弾性ベルト４及び前部弾性ベルト５との間に装入し、靴ｓのつま先が該シート状被覆材１のつま先カバー部１ａに圧接状態になるまで該シート状被覆材１を該靴ｓを履いた足の足首側に移動させれば、該シート状被覆材１は、図１(a)に示すように、靴ｓの甲上に良好に配置された状態となる。このとき、後部弾性ベルト４の中間部は靴ｓの土踏まず付近に位置し、前部弾性ベルト５の中間部はつま先と土踏まずとの中間付近に位置することになる。
【００４８】
この状態で、前記スライド掛止片２ａ、３ａから突出している後部弾性ベルト４及び前部弾性ベルト５の端部を引っ張り上げ、図１(a)及び図２に示すように、該後部弾性ベルト４及び該前部弾性ベルト５とシート状被覆材１とによる靴ｓの抱持状態を緩みのない確実なものとする。
【００４９】
以上のように靴ｓにこのシューズカバーを装着すると、雨水の通りやすい甲の部分が、前記のように、シート状被覆材１でカバーされるため、ある程度の時間内は水の侵入を防止することが可能であり、低山ハイキング中の比較的軽微な雨には十分対応できる。また靴ｓのつま先部分は、つま先カバー部１ａによって確実に被覆されているため、一層効果的な防水効果を得ることができる。
【００５０】
また前記の低山ハイキングなどではなく、生ごみのような水分を持った廃材を処理する作業をする場合等に、このシューズカバーを使用しても同様に好都合である。履いている靴ｓが防水処理をしていない物である場合には、前記低山ハイキングの場合と同様に、靴ｓの甲の全体にそのシート状被覆材１を被覆すれば、水分の通りやすい靴ｓの甲の部分が、前記のように、シート状被覆材１でカバーされるため、前記のような作業で処理対象物から垂れる水分が靴ｓに直接に掛かるのを確実に防止することができる。
【００５１】
従って靴ｓを常時綺麗な状態に保持できる。このシューズカバーは汚れることになるが、そのシート状被覆材１は殆ど平面状の物であるため、洗濯も容易であり、かつその乾燥も容易である。そのため、汚れた靴ｓを洗浄し、これを乾燥させるのよりは遥かに短時間で容易に処理できる利点が得られる。
【００５２】
使用後に、以上のシューズカバーを靴ｓから取外す場合は、前記いずれの場合であっても、例えば、前記のようにして、後部弾性ベルト４及び前部弾性ベルト５のスライド掛止片２ａ、３ａ側の端部を緩めるか、該スライド掛止片２ａ、３ａから取り外すことにより極めて容易に靴ｓから離脱させることができる。
【００５３】
なお、この実施例１のシューズカバーには、前記シート状被覆材１の後部中央の上面に二本の紐材１ｂ、１ｂの一端が固設してあり、通常は、図１(a)に示すように、これをリボン状に結んでおき、飾りとして機能させることができる。該シート状被覆材１が歩行中などにつま先側に移動する虞がある場合は、リボン状に結んである紐材１ｂ、１ｂをほどいて、これらの紐材１ｂ、１ｂで取り付け対象の靴ｓの紐などに括り付けることとすることができる。これによって使用中の該シート状被覆材１のつま先側への移動を確実に抑制することができる。
【００５４】
＜実施例２＞
この実施例２のシューズカバーは、図６に示すように、後部弾性ベルト４と前部弾性ベルト５との中間部を接続ベルト６で接続したものである。該接続ベルト６は、後部弾性ベルト４及び前部弾性ベルト５と同様の合成ゴムで構成した帯状部材であり、それらと一体に接続して構成したものである。その長さは、シート状被覆材１の前部側と後部側のスライド掛止片２ａ、３ａ間の間隔又は掛止片２ｂ、３ｂ間の間隔と同様の寸法とする。この実施例２のシューズカバーは、以上の接続ベルト６の構成を除いては、実施例１と全く同様の構成であり、同一部位には同一の符号を用いている。
【００５５】
従ってこの実施例２のシューズカバーは、実施例１と全く同様に使用することができるし、実施例１の有する作用効果の全てを有している。その上で、更に次の効果を有する。
即ち、この実施例２のシューズカバーを靴ｓに装着して何らかの作業をし又は軽登山その他の歩行動作をした場合は、該靴ｓのソール側のパターン、或いは使用者の歩行の仕方その他によって前部弾性ベルト５がつま先側に移動しやすい場合があるが、このような場合であっても、該前部弾性ベルト５は接続ベルト６を介して後部弾性ベルト４に結合しているため、そのような移動が抑制されることになる。
【００５６】
＜実施例３＞
この実施例３のシューズカバーは、図７(a)、(b)に示すように、シート状被覆材１の全周縁に沿って管状空間１ｃを形成し、この中に弾力性を有する環状骨材７を配したものである。その他の構成は、実施例１と全く同様であり、同様の部位には同一の符号を付してある。
【００５７】
前記管状空間１ｃは、シート状被覆材１を構成する非透水性のシート材の周縁を下面側に折り返して縫合することによって構成する。その一部に開口部を形成しておき、その開口部から環状に閉じる前の骨材を挿入する。その開口部から該管状空間１ｃの一方向に向けて骸骨材の一端を挿入し、他方向から現れた該一端と一方向に挿入しつつある他端とを一個の短寸の連結パイプにその一端側から及び他端側から圧入することで結合し、該管状空間１ｃ内に装入すると同時に環状骨材７を構成する。
【００５８】
従ってこの実施例３のシューズカバーによれば、実施例１と全く同様に使用することができるし、実施例１の有する作用効果の全てを有している。その上で、更に次の効果を有する。
即ち、靴ｓにこのシューズカバーを装着した場合に、そのシート状被覆材１の周縁が確実に該靴ｓの周側下部に位置する状態を維持し、周縁が捲れ上がるような問題を生じさせない。
【図面の簡単な説明】
【００５９】
【図１】(a)は靴に実施例１のシューズカバーを装着した状態の概略斜視図、(b)は装着対象の靴の概略斜視図。
【図２】実施例１のシューズカバーを装着した状態の靴の概略裏面図。
【図３】(a)は実施例１のシューズカバーの前部弾性ベルト及び後部弾性ベルトを省略した状態の概略平面図、(b)は(a)のＡ−Ａ線断面図、(c)は(a)の概略正面図。
【図４】実施例１のシューズカバーの後部弾性ベルト、後部側のスライド掛止片及び掛止片を省略した状態の正面図。
【図５】(a)はスライド掛止片の説明用断面図、(b)は掛止片の説明用断面図。
【図６】実施例２のシューズカバーを装着した状態の靴の概略裏面図。
【図７】(a)は実施例３のシューズカバーの前部弾性ベルト及び後部弾性ベルトを省略した状態の概略平面図、(b)は(a)のＢ−Ｂ線断面図。
【符号の説明】
【００６０】
１    シート状被覆材
１ａ  つま先カバー部
１ｂ  紐材
１ｃ  管状空間
２ａ、３ａ  スライド掛止片（掛止片）
３ａ１  側板
３ａ２  底板
３ａ２ｈ  固定用凹部
３ａ３  連結片
３ａ４  起伏固定片
３ａ４ｐ  固定突起
３ａ５  接続帯片
２ｂ、３ｂ  掛止片
３ｂ１  連結片
３ｂ２  前端掛止部
３ｂ３  後端掛止部
３ｂ４  側枠
３ｂ５  接続帯片
４    後部弾性ベルト
５    前部弾性ベルト
６    接続ベルト
７    環状骨材
ｓ    靴
【図１】
2009045187.tif 000003
【図２】
2009045187.tif 000004
【図３】
2009045187.tif 000005
【図４】
2009045187.tif 000006
【図５】
2009045187.tif 000007
【図６】
2009045187.tif 000008
【図７】
2009045187.tif 000009